(57)【要約】【課題】長尺の釣り竿であっても操りやすく、釣り人の負担の少ない釣り操作用補助具を、元竿等に余分な機構を設ける必要もなく、かつ、必要でなければ簡単に取り外せて仕舞書類を容易に行える釣り操作用補助具を提供する。【解決手段】竿体６に対して着脱自在な取付部７と、フィッシングベルト８とそのフィッシングベルト８を装着した釣り人の腰部との間の空間に差し込み装着されて取付部７を支持する支持部９とを備え、取付部７を竿体６の軸芯に沿って移動可能でかつ移動位置で固定することができる。【選択図】図２
2015204808.tif 000002
【特許請求の範囲】
【請求項１】
竿体に対して着脱自在な取付部と、フィッシングベルトとそのフィッシングベルトを装着した釣り人の腰部との間の空間に差し込み装着されて前記取付部を支持する支持部とを備え、前記取付部を前記竿体の軸芯に沿って移動可能でかつ移動位置で固定する調節固定装置を備えている釣り操作用補助具。
【請求項２】
前記取付部を、前記竿体の外周面に接触して保持する一対の保持パット部と、前記一対の保持パット部のうちの一方の保持パット部を備えた第１取付本体部と、前記一対の保持パット部のうちの他方の保持パット部を備えた第２取付本体部とで構成し、前記調節固定装置に、前記第１取付本体部と第２取付本体部とを前記一対の保持パット部同士が離間することを許容しながら、両者を一体的に連係する連係機構を有している請求項１記載の釣り操作用補助具。
【請求項３】
前記支持部が、前記フィッシングベルトとそのフィッシングベルトを装着した釣り人の腰部との間の空間に差し込み装着され状態で、前記フィッシングベルトに引っ掛かり抜け止め固定される抜け止め屈曲部を前記支持部に形成してある請求項１又は２記載の釣り操作用補助具。
【発明の詳細な説明】
【技術分野】
【０００１】
本発明は、主として鮎釣り、又は、渓流釣り時に使用される釣り操作用補助具に関する。
【背景技術】
【０００２】
鮎釣り、又は、渓流釣りにおいては、釣り人は、長尺の鮎竿等を穂先が頭上高く位置するように持って、川内に立ち入って釣りを行っている場合が多い。つまり、鮎竿を持つのに、利き腕が右腕の場合は、左（右）手で元竿の握り部分を持ち、右（左）手を元竿の竿先側部分に宛がって、鮎竿の穂先竿を上方に高く持ちあげるように左右の手で鮎竿を支持しながら、かつ、右手で釣り竿を操れるような姿勢で釣り操作を行っている。
【０００３】
しかし、魚の当たりがあるまでは、左右の手で鮎竿を支持しながら、かつ、右手若しくは左手で釣り竿を操るのが普通である。特に、鮎竿等は、釣り竿の全長が、１０ｍ近くもある長尺体であるところから、釣り竿を支持する負担は相当なものである。
また、左右の手で鮎竿を支持する必要があるので、両手が塞がった状態であり、このような状態を改善する要望もある。
【０００４】
そこで、このような鮎釣り等の釣り人に係る負担を少しでも軽くするものとして下記のようなものが提案されている。
つまり、尻栓１に紐状体７を取り付け、紐状体７のリング部7Ｂを後向きに突出させている。釣り用ベストに連結係止片が設けてある。この連結係止片を紐状体７のリング部７Ｂに連結することによって、釣り用ベストに尻栓１、牽いては、鮎竿Ａを連結保持することができる（例えば特許文献１参照）。
【先行技術文献】
【特許文献】
【０００５】
【特許文献１】特開２００８−１１８１７号公報（図１）
【発明の概要】
【発明が解決しようとする課題】
【０００６】
しかし、上記構成のものにおいては、尻栓や元竿の握り部に引っ掛け具を設ける等の細工が必要であり、釣り仕舞に障りがあり、かつ、製作上も面倒である。
【０００７】
本発明の目的は、長尺の釣り竿であっても操りやすく、釣り人の負担の少ない釣り操作用補助具を、元竿等に余分な機構を設ける必要もなく、かつ、必要でなければ簡単に取り外せて仕舞処理（仕舞込むこと）が容易に行える釣り操作用補助具を提供する点にある。
【課題を解決するための手段】
【０００８】
〔構成〕
請求項１に記載の本願発明の特徴構成は、竿体に対して着脱自在な取付部と、フィッシングベルトとそのフィッシングベルトを装着した釣り人の腰部との間の空間に差し込み装着されて前記取付部を支持する支持部とを備え、前記取付部を前記竿体の軸芯に沿って移動可能でかつ移動位置で固定する調節固定装置を備えている点にあり、その作用効果は次の通りである。
【０００９】
〔作用〕
つまり、取付部を竿体（例えば、元竿の握り部）に取り付ける。元竿を握って釣り操作用補助具の支持部を、フィッシングベルトとそのフィッシングベルトを装着した釣り人の腰部との間の空間に差し込み装着する。
【００１０】
〔効果〕
そうすると、元竿の竿尻端部が釣り操作用保持具の取付部によって支持されるので、右利きの場合、従来必要であった元竿の握り部の上部を握っていた左手を添える必要がなく、その左手で元竿の竿先側を握って右手をフリーにするか、又は、右手で元竿の竿先側を握って左手をフリーにするかといったことができる。
しかも、釣り竿の荷重を腰部にも分担させることができるので、今まで通り両手で支持するとしてもその負担を大きく軽減できる。
また、前記取付部を前記竿体の軸芯に沿って移動可能でかつ移動位置で固定する調節固定装置を備えているので、取付部の竿体に対する取付位置を任意に調節することができ、釣り竿のバランスを考慮して、腰部にも負担の少ない取付位置、釣り操作に支障の少ない位置を選定できる。
【００１１】
〔構成〕
本発明のうちの請求項２に記載の発明では、上記請求項１記載の発明において、前記取付部を、前記竿体の外周面に接触して保持する一対の保持パット部と、前記一対の保持パット部のうちの一方の保持パット部を備えた第１取付本体部と、前記一対の保持パット部のうちの他方の保持パット部を備えた第２取付本体部とで構成し、前記調節固定装置に、前記第１調節本体部と第２調節本体部とを前記一対の保持パット部同士が離間することを許容しながら、両者を一体的に連係する連係機構を有している点にあり、その作用効果は次の通りである。
【００１２】
〔作用効果〕
一対の保持パット部で竿体を挟み込んで取付部を装着するので、釣り竿側に何らの機構を必要としない。しかも、一対の保持パット部を離間させるだけで、取付状態を解除でき、更に、竿体の軸芯方向に沿って移動させて適切な位置に移動させ、その位置で再度一対の保持パット部を近接させれば、取付部を固定できる。そして、竿体の軸芯方向に沿って移動させる際に連係機構によって、一対の保持パット部は連係状態を崩さないので、移動操作も容易である。
【００１３】
〔構成〕
請求項３に係る本願発明の特徴構成は、上記請求項１または２記載の発明において、前記支持部が、前記フィッシングベルトとそのフィッシングベルトを装着した釣り人の腰部との間の空間に差し込み装着され状態で、前記フィッシングベルトに引っ掛かり抜け止め固定される抜け止め屈曲部を前記支持部に形成してある点にあり、その作用効果は次の通りである。
【００１４】
〔作用効果〕
支持部に抜け止め屈曲部を形成する工夫によって、支持部を前記フィッシングベルトとそのフィッシングベルトを装着した釣り人の腰部との間の空間に差し込み装着した状態で、支持部が抜けにくく、安定した釣り竿の支持状態を確立できる。
【図面の簡単な説明】
【００１５】
【図１】図１は、鮎竿を示す側面図である。
【図２】図２は、鮎釣り時に釣り操作用補助具を使用している状態を示す側面図である。
【図３】図３は、元竿に釣り操作用補助具を装着した状態を示す上面図である。
【図４】図４は、元竿に釣り操作用補助具を装着した状態を、支持部側から見た状態を示す側面図である。
【図５】図５は、元竿に釣り操作用補助具を装着した状態を、竿軸芯に沿った方向から見た状態を示す上面図である。
【図６】図６は、元竿に釣り操作用補助具を装着した状態を、斜め上方から見た状態を示す斜視図である。
【図７】図７は、操作具をカバー胴体に対して軸芯方向に移動調節できる状態を示す説明図である。
【図８】図８は、釣り操作用補助具の第１取付本体部の構造を示す線図であり、（ａ）は操作体を所定位置に位置させてスプールを回転操作し、両保持パット部で元竿を挟み込み、取付部を元竿に装着した状態を示し、（ｂ）は操作体をカバー胴体より離間位置させてスプールを遊転状態にし、両保持パット部を元竿から離間させ、取付部を元竿に対してスライド移動可能にする状態を示す。
【図９】図９は、釣り操作用補助具の別実施構造を示す斜視図である。
【図１０】図１０は、釣り操作用補助具の支持部の別実施構造を示し、（ａ）は側面図、（ｂ）は下面図である。
【発明を実施するための形態】
【００１６】
〔第１実施形態〕
鮎等を釣る際に使用される釣り竿について説明する。鮎竿等で代表される釣り竿は、図１に示すように、釣り糸を連結した穂先竿１、二番竿２、三番竿３、元上４、握り部を備えた元竿５で構成されている。穂先竿１、二番竿２、三番竿３、元上４、元竿５を釣り竿用の竿体６と称する。
【００１７】
尚、釣り竿を構成する各竿体６は次のように製作される。つまり、炭素繊維等の強化繊維を一方向に引き揃え、その引き揃え強化繊維群にエポキシ樹脂等の熱硬化性樹脂（又は熱可塑性樹脂）を含浸させて、プリプレグシートを形成する。このプリプレグシートを略台形状に裁断した複数のものをマンドレルに巻回し、複数のプリプレグシートを巻回して構成した竿素材をマンドレルに巻回した状態で炉に入れて焼成し、焼成後マンドレルを脱芯して円筒状の竿素材を取り出しその竿素材を所定長に裁断して、仕上加工を施し竿体とする。
【００１８】
プリプレグを構成する強化繊維としては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、強化繊維を編み込んだ織り物に樹脂を含浸させて構成したものであってもよい。
【００１９】
次に、釣り操作用補助具Ａについて説明する。
釣り操作用補助具Ａは、図２に示すように、竿体６に対して着脱自在な取付部７と、フィッシングベルト８とそのフィッシングベルト８を装着した釣り人の腰部との間の空間に差し込み装着されて取付部７を支持する支持部９とを備え、取付部７を竿体６の軸芯に沿って移動可能でかつ移動位置で固定する調節固定装置Ｂを備えている。
【００２０】
図２〜図６に示すように、取付部７は、竿体６としての元竿５の外周面に接触して保持する一対の保持パット部１０Ｂ、１１Ｂと、一方の保持パット部１０Ｂを備えた第１取付本体部１０と、他方の保持パット部１１Ｂを備えた第２取付本体部１１とで構成する。調節固定装置Ｂは、第１取付本体部１０と第２取付本体部１１とを、一対の保持パット部１０Ｂ、１１Ｂ同士が竿体６より離間する状態と、一対の保持パット部同士１０Ｂ、１１Ｂが元竿５の外周面に圧接し元竿５に固定される状態とに切り替え可能に一体的に連係する連係機構を有している。
【００２１】
第２取付本体部１１は、図３及び図４に示すように、略四角形状のフランジ部１１Ａと、そのフランジ部１１Ａを備えた本体部と、その本体部における第１取付本体部１０に向かう側に保持パット部１１Ｂが形成されている。
本体部における保持パット部形成位置より反対の外側部分に、支持部９を取り付けるためのネジ穴（図示せず）を形成し、止めボルト２０によって、支持部９を着脱自在に構成する。
支持部９には、長手方向に沿った抜き穴９Ａが設けてあり、その抜き穴９Ａを貫通する状態で止めボルト２０がネジ穴に螺着されるように構成してある。支持部９の本体９Ｂには、長手方向の途中箇所に屈曲部９Ｃが形成されており、この屈曲部９Ｃの存在によって、その支持部９がフィッシングベルト８とそのフィッシングベルト８を装着した釣り人の腰部との間の空間に差し込み装着された際に、フィッシングベルト８より抜け出し難い構成となっている。
【００２２】
連係機構について説明する。図３、５から７に示すように、第１取付本体部１０と第２取付本体部１１とに亘って単一のワイヤがループ状に巡らされている。ワイヤは、第１取付本体部１０の上端部と第２取付本体部１１の上端部とに亘る上部ワイヤａ１と、第１取付本体部１０の下端部と第２取付本体部１１の下端部とに亘る下部ワイヤａ２とで構成され、図示してはいないが、そのループ状の両端を第１取付本体部１０の内部に備えられているスプール１４に取付固定している。
なお、図６、７に示すように、上部ワイヤａ１と下部ワイヤａ２は、第１保持パット部１０Ｂの横側端に装備されている筒状ケース１０ｂを通して繋がっている。
【００２３】
第２取付本体部１１において、ワイヤａ１、ａ２をループ状に巡らす構成は、図４に示すように、第２取付本体部１１のフランジ部１１Ａに４つの貫通孔１１ａが形成してある。貫通孔１０ａは、フランジ部１１Ａの上端部の左右二つの貫通孔１１ａと、フランジ部１１Ａの下端部の左右二つの貫通孔１１ａで構成されている。
【００２４】
上部ワイヤａ１は、第１取付本体部１０から延出されて、第２取付本体部１１のフランジ部１Ａの左側貫通孔１１ａを貫通し、フランジ部１１Ａの上端部の保持パット部が位置する側とは反対側を迂回して右側貫通孔１１ａを貫通して、第１取付本体部１０に戻る配置である。第１取付本体部１０に戻ったワイヤａ１は、図５に示すように、第１保持パット部１０Ｂの横側端に装備されている筒状ケース１０ｂ内を上下に貫通する。
【００２５】
筒状ケース１０ｂの下端より表出したワイヤは下部ワイヤａ２として、第１取付本体部１０から延出されて、第２取付本体部１１のフランジ部１１Ａの左側貫通孔１１ａを貫通し、フランジ部１１Ａの下端部の保持パット部１１Ｂが位置する側とは反対側を迂回して右側貫通孔１１ａを貫通して、第１取付本体部１０に戻る配置である。
【００２６】
図３、５，６，７，８に示すように、第１取付本体部１０内には、取付部７を元竿５の軸芯に沿って移動可能でかつ移動位置で固定する調節固定装置Ｂを備えている。第１取付本体部１０は、カバー胴体１３と、摘み操作可能な操作体１２と、スプール１４とで構成されている。カバー胴体１３には、横側方に傘状に張り出す張り出し部１３Ｂを形成するとともに、その内部に操作体１２に向けて支持ボス部１３Ａが片持ち状に延出されるとともに、支持ボス部１３Ａにスプール１４が外嵌されて、遊転状態に支持されている。
【００２７】
図８に示すように、更に、支持ボス部１３Ａには、回転体１２Ａを回転中心で支持するスライド用ブッシュ１５が外嵌してあり、操作体１２が支持ボス部１３Ａの軸芯に沿って移動することを許容する構成である。
【００２８】
ただし、スライド用ブッシュ１５は、スライド用ブッシュ１５の抜け止め用連結ボルト１６によって、支持ボス部１３Ａから抜け出ることが阻止されており、この連結ボルト１６によって、操作体１２とカバー胴体１３とが、一定範囲内での離間を許容しながら、連結状態を維持する構成を採っている。
因みに、連結ボルト１６は、支持ボス部１３Ａの内部に形成した雌ネジ部に螺合して、操作体１２とカバー胴体１３とを連結している。
【００２９】
調節固定装置Ｂは、第１取付本体部１０に装着される操作体１２と、操作体１２を支持するカバー胴体１３と、そのカバー胴体１３内に収納されるスプール１４とで構成される。
操作体１２は、図８に示すように、外周面に摘み操作用の指当て部１２Ｂを設ける一方、内側空間内に操作体１２と一体回転する回転体１２Ａとその回転体１２Ａの内部に後記するラチエット機構Ｄのラチット爪１２ａが設けてある。
【００３０】
詳細には図示してはいなが、スプール１４の内部には、前記した上方側ワイヤａ１と下方側ワイヤａ２の両端が其々装入されて取付固定される取付用溝（図示せず）が形成されており、固定された両端から第２取付本体部１１に向かう部分がスプールの外周面から表出する状態に巡らされている。
【００３１】
カバー胴体１３と操作体１２との間には、ラチェット機構Ｄが設けてある。つまり、カバー胴体１３の内周面に内歯式ラチェット歯１３ａが複数形成されている。操作体１２の内周面にも３つのラチェット爪１２ａが設けられている。
操作体１２とスプール１４との間にも連係機構が設けてあり、回転体１２Ａにおける下面には係合歯１２ｂが突設され、一方、カバー胴体１３内には、スプール１４が遊転状態で載置してあり、スプール１４の上面に、回転体１２Ａの係合歯１２ｂと係合する被係合歯１４ａを形成してある。
【００３２】
このような機構によって、図７の実線で示すように、或いは、図８（ａ）に示すように、操作体１２を正規の操作位置に設定した場合には、これらの内歯式ラチェット歯１３ａと３つのラチェット爪１２ａが係合し、係合歯１２ｂと被係合歯１４ａとが係合する。このことによって、操作体１２を回転操作すると、スプール１４が回転操作されて、上方側ワイヤａ１と下方側ワイヤａ２とがスプール１４に巻き取られて、第１取付本体部１０と第２取付本体部１１とを近接させることができる。
つまり、一対の保持パット部１０Ｂ、１１Ｂ同士で竿体を挟み付けて、釣り操作用補助具Ａをその竿体に取り付けることができる。
【００３３】
第１取付本体部１０と第２取付本体部１１とを離間させる状態について説明する。操作体１２は、回転軸方向に沿って移動可能であり、カバー胴体１３に対して変位することができる。つまり、図７の仮想線で示すように、或いは図８（ｂ）に示すように、操作体１２をカバー胴体１３より引き出す状態に操作すると、３つのラチェット爪１２ａと内歯式ラチェット歯１３ａとの軸線方向での位置ズレが生じ、両者はかみ合わなくなる。しかも、回転体１２Ａの係合歯１２ｂと係合するスプール１４の被係合歯１４ａも離間する。
【００３４】
このことによって、スプール１４は自由回転状態になり、第１取付本体部１０を第２取付本体部１１より引き離すことが可能である。
つまり、引き離し操作によって、ループ状の上方側のワイヤａ１と下方側のワイヤａ２とは、スプールに巻きついた状態からスプールを回転させて緩みを生じてスプールの外に出ていく。このことによって、一対の保持パット部１０Ｂ、１１Ｂ同士を竿体の外周面より離間させることができる。
【００３５】
〔第２実施形態〕
釣り竿用補助具Ａとして、図９に示すように、金属製の取付部７と支持部９とで構成する。支持部９は第１実施形態と同じものである。取付部７は、円弧状を呈する第１取付本体部１０と第２取付本体１１とで構成し、第１取付本体部１０の一端と第２取付本体部１１の一端とをピン１７で連結して、屈曲自在に構成する。この構成によって、異なる外径を呈する元竿５にも対応できることとなる。
【００３６】
第１取付本体部１０の一端と第２取付本体部１１の一端には、フランジ部１０Ｃ、１１Ｃが形成され、蝶ネジ１８によって、連結される。第１取付本体部１０と第２取付本体部１１の内周面には、其々、元竿５の外周面を保護する弾性材１９が設けてある。
【００３７】
以上のような構成になる、第１取付本体部１０と第２取付本体部１１とを開いた状態で元竿５を装入し、両者１０、１１で挟み込み、蝶ネジ１８を絞めこむことによって、取付部７の装着位置を固定できる。更に調節が必要となれば、蝶ネジ１８を緩め、所望の位置に移動させて、そこで、蝶ネジ１８を絞めつけて固定することでよい。以上のように、調節固定装置Ｂを構成できる。
【００３８】
〔別実施形態〕
（１）  支持部９の構成としては、次のようなものでもよい。図１０に示すように、支持部９に、屈曲部９Ｃの代わりに、長手方向先端側に幅広い幅広部９Ｄと、肉厚部９Ｅを形成してもよい。フィッシングベルト８とそのフィッシングベルト８を装着した釣り人の腰部との間の空間に差し込み装着された際に、この幅広部９Ｄの存在によって、その支持部９が腰部に沿った安定した姿勢を維持でき、かつ、肉厚部９Ｅの存在によって、フィッシングベルト８より抜け出し難い構成となっている。
（２）  連係機構としてワイヤを利用しているが、第１取付本体部１０と第２取付本体部１１とに亘ってボルトを架け渡して、第１取付本体部１０と第２取付本体部１１とを連係してもよい。
【産業上の利用可能性】
【００３９】
本発明は、鮎釣りや渓流釣り時に、フィッシングベルトと釣り人の横腰の間に差し入れて、その取付部を鮎竿や渓流竿に取り付けて、釣り人が片手操作を可能にする釣り操作に使用するものである。
【符号の説明】
【００４０】
６        竿体
７        取付部
８        フィッシングベルト
９        支持部
１０      第１取付本体部
１１      第２取付本体部
１０Ｂ    保持パット部
１１Ｂ    保持パット部
Ｂ        調節固定装置
【図１】
2015204808.tif 000003
【図２】
2015204808.tif 000004
【図３】
2015204808.tif 000005
【図４】
2015204808.tif 000006
【図５】
2015204808.tif 000007
【図６】
2015204808.tif 000008
【図７】
2015204808.tif 000009
【図８】
2015204808.tif 000010
【図９】
2015204808.tif 000011
【図１０】
2015204808.tif 000012